(57)【要約】【課題】防水性が損なわれない電子機器を提供する。【解決手段】電子機器１０は、本体１１と、当該本体のキーボード配設位置に配設されるキーボードユニット１４と、本体とキーボードユニットとの間に配設されるフィルム部材２６と、を備える。フィルム部材２６は、フレキシブルなフィルムシート２６ａと、フィルムシートの本体側面に環状に形成され、フィルムシートを本体に接着する本体側接着部２６ｃと、フィルムシートのキーボード側面において本体側接着部とは異なる位置に形成され、フィルムシートをキーボードユニットに接着するキーボード側接着部２６ｂと、を有する。【選択図】図３
2008299533.tif 000002
【特許請求の範囲】
【請求項１】
本体と、
当該本体のキーボード配設位置に配設されるキーボードユニットと、
前記本体と前記キーボードユニットとの間に配設されるフィルム部材と、
を備え、
前記フィルム部材は、
フレキシブルなフィルムシートと、
前記フィルムシートの本体側面に環状に形成され、前記フィルムシートを前記本体に接着する本体側接着部と、
前記フィルムシートのキーボード側面において前記本体側接着部とは異なる位置に形成され、前記フィルムシートを前記キーボードユニットに接着するキーボード側接着部と、
を有することを特徴とする電子機器。
【請求項２】
前記フィルムシートには開口が形成されており、前記キーボード側接着部は当該開口を囲うように環状に形成されていることを特徴とする請求項１に記載の電子機器。
【請求項３】
前記キーボード側接着部は、前記本体側接着部よりも小さな環状であることを特徴とする請求項２に記載の電子機器。
【請求項４】
前記フィルムシートに形成された前記開口は、前記キーボードユニットと前記本体内部のプリント配線基板とを繋ぐ配線を通すためのものであることを特徴とする請求項２または３に記載の電子機器。
【請求項５】
前記フィルムシートは、透明または半透明であることを特徴とする請求項１〜４のいずれか１項に記載の電子機器。
【請求項６】
前記本体のキーボード配設位置は、その周囲から一段窪んでいることを特徴とする請求項１〜５のいずれか１項に記載の電子機器。
【請求項７】
前記本体のキーボード配設位置には梁が架設されていることを特徴とする請求項１〜６のいずれか１項に記載の電子機器。
【請求項８】
前記フィルム部材は、前記梁に当接する位置において、フィルムシートの両面に接着部を有することを特徴とする請求項７に記載の電子機器。
【請求項９】
前記フィルム部材は耐熱性を有することを特徴とする請求項１〜８のいずれか１項に記載の電子機器。
【発明の詳細な説明】
【技術分野】
【０００１】
本発明は、キーボードを備える電子機器に関する。
【背景技術】
【０００２】
従来技術に係る電子機器においては、両面テープ等を用いてキーボードが電子機器本体に接着されている。このように両面テープ等を用いてキーボードを電子機器本体に接着することにより、キーボードと電子機器本体との間を密封して、キーボードからの液滴の浸入を防いでいる。
【０００３】
一方、従来文献（特許文献１）には、キーボードを備えるノートブック型パーソナルコンピュータが示されている。このコンピュータにおいて、キーボードとコンピュータ本体との間には防水用のシート状部材が配設されており、そのシート状部材にはケーブルを通すための開口が形成されている。
【特許文献１】特開２００６−９９５５０号公報
【発明の開示】
【発明が解決しようとする課題】
【０００４】
しかしながら、従来技術に係る電子機器のように、両面テープ等を用いてキーボードが電子機器本体に接着した場合には、ユーザが電子機器を使用していくうちに当該接着は劣化するため、キーボードと電子機器本体との間に隙間が生じて、防水性が悪化してしまう場合がある。
【０００５】
本発明は、上記の課題を解決するためになされたもので、防水性が損なわれない電子機器を提供することを目的とする。
【課題を解決するための手段】
【０００６】
上述した目的を達成するために、本発明に係る電子機器は、本体と、当該本体のキーボード配設位置に配設されるキーボードユニットと、本体とキーボードユニットとの間に配設されるフィルム部材と、を備え、フィルム部材は、フレキシブルなフィルムシートと、フィルムシートの本体側面に環状に形成され、フィルムシートを本体に接着する本体側接着部と、フィルムシートのキーボード側面において本体側接着部とは異なる位置に形成され、フィルムシートをキーボードユニットに接着するキーボード側接着部と、を有することを特徴とする。
【発明の効果】
【０００７】
本発明によれば、防水性が損なわれない電子機器を提供することができる。
【発明を実施するための最良の形態】
【０００８】
以下、添付図面を参照して、本発明の好適な実施形態について詳細に説明する。なお、説明において、同一要素又は同一機能を有する要素には、同一符号を用いることとし、重複する説明は省略する。
【０００９】
図１には、本発明の第１実施形態に係る電子機器１０として、ノートブック型のパーソナルコンピュータ１０が示されている。図１に示されるように、ノートブック型のパーソナルコンピュータ１０は、コンピュータ本体１１と、ディスプレイユニット１２とから構成されている。ディスプレイユニット１２には、ＬＣＤ（Liquid  Crystal  Display）１７から構成される表示装置が組み込まれており、ＬＣＤ１７の表示画面は、ディスプレイユニット１２の略中央に位置されている。
【００１０】
ディスプレイユニット１２は、コンピュータ本体１１に対して開放位置と閉塞位置との間を回動自在に取り付けられている。コンピュータ本体１１は、薄い箱型の筐体を有しており、その上面には、キーボードユニット１４、パーソナルコンピュータ１０の電源をＯＮ／ＯＦＦするためのパワーボタン１５及びタッチパッド１８等が配置されている。
【００１１】
図２は、コンピュータ本体１１からキーボードユニット１４を取り外した状態を示している。コンピュータ本体１１の上面において、キーボードユニット１４が配設されるキーボード配設位置は、その周囲の上面よりも一段窪んでおり、その窪みにキーボードユニット１４が嵌め込まれる。また、キーボード配設位置の中央は、キーボードユニット１４の外周よりも小さな開口となっており、その開口を通してコンピュータ本体１１の内部に配設されるメイン回路基板２０や光ディスクドライブ２１などの多数の電子部品が見えている。言い換えれば、コンピュータ本体１１の上面には、キーボード配設位置の周縁に沿って筐体窪み部２４が環状に形成されており、筐体窪み部２４はキーボードユニット１４の下面を支持している。
【００１２】
筐体窪み部２４には、キーボードユニット１４を筐体に接着するためのフィルム部材２６が配設されている。フィルム部材２６は、筐体窪み部２４とほぼ同じ環状の部材である。図３（ａ）は、キーボード側（表側）から見たフィルム部材２６を示しており、図３（ｂ）は、コンピュータ本体１１側（裏側）から見たフィルム部材２６を示している。フィルム部材２６は、フレキシブルなフィルムシート２６ａと、フィルムシート２６ａのキーボード側に設けられたキーボード側接着部２６ｂと、フィルムシート２６ａのコンピュータ本体側に設けられた本体側接着部２６ｃと、を有している。
【００１３】
フィルムシート２６ａは、外力に応じて撓むフレキシブルな材料で、且つ、液体（水）を透さない材料を用いて形成されている。このような特性を持つ材料としては、例えば樹脂材料である。フィルムシート２６ａは、後述する製造不良を防止する観点から、透明または半透明の材料を用いて形成することが好ましい。また、フィルムシート２６ａは、メイン回路基板２０の近くに配設されるため、難燃性、耐熱性を有することが好ましい。フィルムシート２６ａは、帯状の薄い部材であり、筐体窪み部２４に沿って環状（閉ループ状）に形成されている。よって、フィルムシート２６ａの中央は開口となっている。
【００１４】
本体側接着部２６ｃは、フィルムシート２６ａのコンピュータ本体側に形成された接着層である。本体側接着部２６ｃは、フィルムシート２６ａの外側の縁に沿って環状に形成されている。本体側接着部２６ｃは、フィルムシート２６ａに接着剤を塗布して形成してもよいし、両面接着テープをフィルムシート２６ａに貼り付けることにより形成してもよい。本体側接着部２６ｃは、フィルムシート２６ａをコンピュータ本体１１に接着する。
【００１５】
キーボード側接着部２６ｂは、フィルムシート２６ａのキーボード側に形成された接着層である。キーボード側接着部２６ｂは、フィルムシート２６ａの内側の縁に沿って、フィルムシート２６ａの開口を囲うように環状に形成されている。すなわち、キーボード側接着部２６ｂは、本体側接着部２６ｃよりも小さな環状に形成されており、本体側接着部２６ｃとは異なる位置に形成されている。キーボード側接着部２６ｂは、フィルムシート２６ａに接着剤を塗布して形成してもよいし、両面接着テープをフィルムシート２６ａに貼り付けることにより形成してもよい。キーボード側接着部２６ｂは、フィルムシート２６ａをキーボードユニット１４に接着する。なお、本実施形態では、キーボード側接着部２６ｂは本体側接着部２６ｃと完全に交差しないように形成されているが、他の実施形態では、キーボード側接着部２６ｂは本体側接着部２６ｃと一部で交差していてもよい。
【００１６】
図４は、コンピュータ本体１１にキーボードユニット１４が配設される構造を断面化して示している。キーボードユニット１４は、アルファベットや数字などに対応する複数のキー１４ａと、各キー１４ａを上下動自在に支持する支持機構１４ｂと、複数の支持機構１４ｂが取り付けられる板状のキーボードベース１４ｃと、により構成されている。キーボードベース１４ｃの上面には、各キー１４ａの押下状態または開放状態を表す信号を伝送するための配線が延設されている。これらの配線は、フレキシブル配線基板２２に纏められており、フレキシブル配線基板２２を介してメイン回路基板２０に接続されている。なお、フレキシブル配線基板２２は、フィルムシート２６ａに形成された開口を通して、キーボードユニット１４とメイン回路基板２０とを繋いでいる。
【００１７】
キーボードユニット１４と筐体窪み部２４との間には、フィルム部材２６が配設されている。図５は、図４のフィルム部材２６の周囲を拡大して示している。フィルムシート２６ａの外側縁部は筐体窪み部２４の上方に位置しており、フィルムシート２６ａの内側縁部はから開口の上方に位置している。キーボード側接着部２６ｂは、フィルムシート２６ａの内側縁部をキーボードベース１４ｃに接着している。一方、コンピュータ本体側接着部２６ｃは、フィルムシート２６ａの外側縁部を筐体窪み部２４に接着している。フィルムシート２６ａがキーボードベース１４ｃおよび筐体窪み部２４に接着されることにより、キーボードベース１４ｃと筐体窪み部２４との間は隙間なく封止されている。
【００１８】
上述した実施形態に係るキーボードユニット１４の取付構造によれば、キーボードユニット１４上に液体が溢された場合には、液体は筐体窪み部２４に至るが、キーボードユニット１４とコンピュータ本体１１との間はフィルム部材２６により封止されているため、液体がコンピュータ本体１１の内部に浸入することを防止することができる。また、本実施形態では、フィルムシート２６ａに接着層を形成するだけで、キーボードユニット１４の防滴構造を実現しているため、ノートブック型パーソナルコンピュータの低コスト化、軽量化、薄型化に寄与している。
【００１９】
また、上述した実施形態に係るキーボードユニット１４の取り付け構造では、ユーザが情報を入力するためにキーを押すと、キーボードベース１４ｃの位置が若干変化し、それに応じてフィルム部材２６のキーボード側接着部２６ｂの位置が変化する。キーボード側接着部２６ｂの位置が変化しても、キーボード側接着部２６ｂとコンピュータ本体側接着部２６ｃとの間のフィルムシート２６ａが変形するのみで、コンピュータ本体側接着部２６ｃの位置は殆ど変化しない。このようにユーザのキー入力による力がフィルムシート２６ａにより吸収されるため、キーボード側接着部２６ｂおよびコンピュータ本体側接着部２６ｃに作用する力を弱めることができる。よって、ユーザがコンピュータ１０を長期に渡り使用してもフィルム部材２６の剥離を防止され、キーボードベース１４ｃと筐体窪み部２４との間の封止状態を維持して防滴性能を維持することができる。
【００２０】
なお、コンピュータ１０の製造時には、キーボードユニット１４と、筐体窪み部２４を含む筐体の上側部分と、フィルム部材２６と、を用意する。そして、フィルム部材２６のコンピュータ本体側接着部２６ｃを筐体窪み部２４にしっかりと押し付けて、コンピュータ本体側接着部２６ｃをフィルム部材２６を筐体窪み部２４に貼り付ける。このとき、フィルムシート２６ａは透明または半透明であるため、組立作業者はフィルムシート２６ａと筐体窪み部２４との密着状態を目視で確認することができる。その後、筐体の上側部分をひっくり返し、フィルム部材２６のキーボード側接着部２６ｂをキーボードユニット１４にしっかりと押し付けて、フィルム部材２６をキーボードユニット１４に貼り付ける。このとき、フィルムシート２６ａは透明または半透明であるため、組立作業者はフィルムシート２６ａとキーボードユニット１４との密着状態を目視で確認することができる。このように、フィルムシート２６ａを透明または半透明な材料で形成することにより、作業者はフィルムシート２６ａの密着状態を目視で確認することができるため、コンピュータ１０の製造不良を防止することができる。
【００２１】
図６は、本発明の第２実施形態に係るフィルム部材３６を示している。このフィルム部材３６は、図７に示される筐体に対応した構造となっている。図７の筐体では、筐体窪み部３４の開口に多数の梁部材３５が縦横に架設されており、これらの梁部材３５によりキーボードユニット１４を支持することにより、キーボードユニット１４の支持構造が補強されている。
【００２２】
このフィルム部材３６では、横方向のほぼ中央で若干手前側の位置に比較的小さな開口３６ｅが形成されている。フィルムシート３６ａのコンピュータ本体側面には、第１実施形態と同様にコンピュータ本体側接着部（不図示）が形成されており、フィルムシート３６ａが筐体窪み部３４に接着されている。一方、フィルムシート３６ａのキーボード側面には、比較的小さな開口３６ｅの縁に沿ってキーボード側接着部３６ｂが形成されており、このキーボード側接着部３６ｂによりフィルムシート３６ａがキーボードベース１４ｃに接着されている。
【００２３】
また、フィルムシート３６ａの両面には、梁部材３５に当接する位置において接着部が形成されている。すなわち、フィルムシート３６ａのコンピュータ本体側面には、筐体窪み部２４の開口に架設された梁部材３５に沿って筐体側補助接着部（不図示）が形成されており、フィルムシート３６ａが梁部材３５に接着されている。一方、フィルムシート３６ａのキーボード側面には、筐体側補助接着部と同位置にキーボード側補助接着部３６ｄが形成されており、フィルムシート３６ａがキーボードベース１４ｃに接着されている。本実施形態において、筐体側補助接着部およびキーボード側補助接着部３６ｄは表裏が異なるのみで同位置であるため、図６において筐体側補助接着部の図示は省略する。このように梁部材３５に沿ってフィルムシート３６ａの表裏に接着層を形成することにより、キーボードユニット１４の変形を防止することができると共に、キーボードユニット１４の浮きを防止することができる。なお、筐体側補助接着部およびキーボード側補助接着部３６ｄはフィルムシート３６ａに接着剤を塗布して形成してもよいし、両面接着テープをフィルムシート３６ａに貼り付けることにより形成してもよい。
【００２４】
なお、第２実施形態に係るコンピュータでは、第１実施形態とは異なり、フィルムシート３６ａの四隅は切り取られており、フィルムシート３６ａが切り取られたこれらの位置には、接着剤として両面テープが配設されている。この両面テープは、キーボードと筐体窪み部２４とを直接に接着し、キーボードと筐体窪み部２４との接着をより強固にすると共に、キーボードユニット１４の浮きを防止することができる。
【００２５】
以上に説明した本発明の実施形態では、フィルムシート２６ａ，３６ａに開口が形成されていたが、フィルムシート２６ａ，３６ａの開口は必ずしもあるものではない。例えば、キーボードユニット１４とメイン回路基板２０との間の配線をフィルム部材２６，３６を回避して延設した場合には、フィルムシート２６ａ，３６ａに開口を形成する必要はない。また、ワイヤレスでキーボードユニット１４からメイン回路基板２０に信号を伝送した場合には、フィルムシート２６ａ，３６ａに開口を形成する必要はない。このような場合には、キーボード側接着部は環状ではなく他の形状に形成されてもよい。
【００２６】
なお、上述した実施形態では、電子機器はノート型パーソナルコンピュータであったが、本発明はキーボードを備える電子機器であれば同様に適用することができる。このような電子機器としては、例えば、携帯電話装置やＰＤＡ（Personal Digital Assistants）などである。
【図面の簡単な説明】
【００２７】
【図１】本発明の実施形態に係るノートブック型パーソナルコンピュータを示す斜視図である。
【図２】キーボードユニットが取り外されたコンピュータを示す斜視図である。
【図３】フィルム部材の表面および裏面を示す斜視図である。
【図４】コンピュータ本体にキーボードユニットが配設される構造を示す断面図である。
【図５】コンピュータ本体とキーボードユニットとの間に配設されるフィルム部材を拡大して示す断面図である
【図６】他の実施形態に係るコンピュータに配設されるフィルム部材を示す斜視図である。
【図７】キーボードユニットが取り外されたコンピュータを示す斜視図である。
【符号の説明】
【００２８】
１０…パーソナルコンピュータ（電子機器）、１１…コンピュータ本体、１２…ディスプレイユニット、１４…キーボードユニット、１５…パワーボタン、１８…タッチパッド、２０…メイン回路基板、２１…光ディスクドライブ、２２…フレキシブル配線基板、２４，３４…筐体窪み部、２６，３６…フィルム部材、３５…梁部材。
【図１】
2008299533.tif 000003
【図２】
2008299533.tif 000004
【図３】
2008299533.tif 000005
【図４】
2008299533.tif 000006
【図５】
2008299533.tif 000007
【図６】
2008299533.tif 000008
【図７】
2008299533.tif 000009